(57)【要約】【課題】特に広い室内空間において空気調和を行うときに個別に制御したい場所毎にリモートコントローラを常時配置する必要がなく、少ない数のリモートコントローラで操作性を大幅に向上できる空気調和機を提供する。【解決手段】リモートコントローラ１０は、室内のどの区画にあるかを認識する区画認識部１１と、認識された区画の情報および空気調和のための設定情報を送信する送受信部１４とを有する。また、空気調和機本体２０は、室内に調和空気を吹き出す空気調和部２１と、送受信部１４からの区画の情報および設定情報を受信する送受信部２４と、送受信部２４により受信された区画の情報に基づいて設定情報を区画毎に記憶する設定情報記憶部２３と、設定情報記憶部２３に記憶された区画毎の設定情報に基づいて、空気調和部２１の風量，風向および吹出温度を制御する制御部２２とを有する。【選択図】  図１
2004316947.tif 000002
【特許請求の範囲】
【請求項１】
空気調和機本体（２０）と、上記空気調和機本体（２０）を遠隔制御するための少なくとも１つのリモートコントローラ（１０）とを備えた空気調和機であって、
複数に区画された室内において上記リモートコントローラ（１０）がどの区画にあるかを認識する区画認識部（１１）を備え、
上記空気調和機本体（２０）は、
室内に調和空気を吹き出す空気調和部（２１）と、
上記区画認識部（１１）により認識された上記リモートコントローラ（１０）の位置を表す区画の情報と上記リモートコントローラ（１０）からの設定情報に基づいて、上記空気調和部（２１）の風量，風向および吹出温度のうちの少なくとも１つを制御する制御部（２２）とを有することを特徴とする空気調和機。
【請求項２】
請求項１に記載の空気調和機において、
上記空気調和機本体（２０）は、
上記区画認識部（１１）により認識された上記リモートコントローラ（１０）の位置を表す区画の情報に基づいて、上記リモートコントローラ（１０）からの設定情報を区画に対応して記憶する設定情報記憶部（２３）を有することを特徴とする空気調和機。
【請求項３】
請求項１に記載の空気調和機において、
上記区画認識部（１１）を上記リモートコントローラ（１０）が有し、
上記リモートコントローラ（１０）は、
上記区画認識部（１１）により認識された区画の情報および空気調和のための設定情報を送信するリモートコントローラ側送信部（１４ａ）を有し、
上記空気調和機本体（２０）は、
上記リモートコントローラ側送信部（１４ａ）からの上記区画の情報および上記設定情報を受信する本体側受信部（２４ｂ）を有することを特徴とする空気調和機。
【請求項４】
請求項１に記載の空気調和機において、
上記区画認識部（１１）を上記リモートコントローラ（１０）が有さず、
上記リモートコントローラ（１０）は、
空気調和のための設定情報を送信するリモートコントローラ側送信部（１４ａ）を有し、
上記空気調和機本体（２０）は、
上記区画認識部（１１）からの上記区画の情報および上記リモートコントローラ側送信部（１４ａ）からの上記設定情報を受信する本体側受信部（２４ｂ）を有することを特徴とする空気調和機。
【請求項５】
請求項３または４に記載の空気調和機において、
上記空気調和機本体（２０）は、
上記区画認識部（１１）により認識された上記リモートコントローラ（１０）の位置を表す区画の情報に基づいて、上記リモートコントローラ（１０）からの設定情報を区画に対応して記憶する設定情報記憶部（２３）を有し、
上記リモートコントローラ側送信部（１４ａ）は、上記区画認識部（１１）により認識された区画の情報および設定情報要求を送信し、
上記空気調和機本体（２０）は、上記リモートコントローラ側送信部（１４ａ）からの上記区画の情報および上記設定情報要求を上記本体側受信部（２４ｂ）により受信すると、上記設定情報記憶部（２３）に記憶された上記区画の情報に対応する設定情報を送信する本体側送信部（２４ａ）を有することを特徴とする空気調和機。
【請求項６】
請求項５に記載の空気調和機において、
上記リモートコントローラ（１０）は、
上記本体側送信部（２４ａ）からの上記設定情報記憶部（２３）に記憶された上記区画の情報に対応する設定情報を受信するリモートコントローラ側受信部（１４ｂ）と、
上記リモートコントローラ側受信部（１４ｂ）により受信された上記区画の情報に対応する設定情報を表示する表示部（１３）とを有することを特徴とする空気調和機。
【請求項７】
請求項６に記載の空気調和機において、
上記空気調和部は複数であって、
上記制御部（２２）は、室内の各区画の温度が上記設定情報記憶部（２３）に記憶された設定情報に応じた温度になるように、上記複数の空気調和部の風量，風向および吹出温度のうちの少なくとも１つを夫々制御することを特徴とする空気調和機。
【発明の詳細な説明】
【０００１】
【発明の属する技術分野】
この発明は、空気調和機本体がリモートコントローラにより遠隔制御される空気調和機に関する。
【０００２】
【従来の技術】
従来、空気調和機としては、図７に示すものがある（例えば、特許文献１参照）。この空気調和機は、図７に示すように、室内の天井に設置された複数の室内機１００Ａ，１００Ｂ，１００Ｃと、複数のリモートコントローラ１０３〜１０６と、室外機１１０とを備えている。上記リモートコントローラ１０３は壁面上に、リモートコントローラ１０４はＯＡ機器１１１の近傍に、リモートコントローラ１０５は事務机１１２上に、リモートコントローラ１０６は会議机１１３上に夫々設置されている。
【０００３】
上記構成の空気調和機において、これらリモートコントローラ１０３〜１０６の出力に基づいて、複数の室内機１００Ａ，１００Ｂ，１００Ｃの送風機並びに吹出ルーバを制御すると共に、室外機１１０のコンプレッサの能力を制御することによって、リモートコントローラ１０３〜１０６の設置位置における温度、風量、風向を各リモートコントローラ１０３〜１０６に設定された設定値に維持する。
【０００４】
【特許文献１】
特開平５−１１８６１４号公報
【０００５】
【発明が解決しようとする課題】
ところで、上記空気調和機では、室内の個別に制御したい場所に必ずリモートコントローラを常時配置しておく必要があり、ユーザーの操作性が悪いという問題がある。
【０００６】
そこで、この発明の目的は、特に広い室内空間において空気調和を行うときに個別に制御したい場所毎にリモートコントローラを常時配置する必要がなく、少ない数のリモートコントローラで操作性を大幅に向上できる空気調和機を提供することにある。
【０００７】
【課題を解決するための手段】
上記目的を達成するため、請求項１の空気調和機は、空気調和機本体と、上記空気調和機本体を遠隔制御するための少なくとも１つのリモートコントローラとを備えた空気調和機であって、複数に区画された室内において上記リモートコントローラがどの区画にあるかを認識する区画認識部を備え、上記空気調和機本体は、室内に調和空気を吹き出す空気調和部と、上記区画認識部により認識された上記リモートコントローラの位置を表す区画の情報と上記リモートコントローラからの設定情報に基づいて、上記空気調和部の風量，風向および吹出温度のうちの少なくとも１つを制御する制御部とを有することを特徴としている。
【０００８】
上記請求項１の空気調和機によれば、上記区画認識部により、複数に区画された室内においてリモートコントローラがどの区画にあるかを認識する。なお、上記区画認識部は、リモートコントローラに内蔵されていもよいし、リモートコントローラとは別に設けてもよい。そうして、上記区画認識部により認識された上記リモートコントローラの位置を表す区画の情報と上記リモートコントローラからの設定情報に基づいて、上記制御部は、空気調和部の風量，風向および吹出温度のうちの少なくとも１つを制御する。これにより、個別に制御したい区画にリモートコントローラを移動させて、その区画における空気調和のための設定情報を空気調和機本体に送信することによって、その区画の空調条件を所望の状態になるように各空気調和部を制御することが可能となる。つまり、特定の区画の空調条件を設定したい場合は、そのときだけその区間にリモートコントローラを移動させて設定すればよく、設定に用いたリモートコントローラを常時そこに配置しておく必要がない。したがって、特に広い室内空間において空気調和を行うときに個別に制御したい場所毎にリモートコントローラを常時配置する必要なく、少ない数のリモートコントローラで操作性を大幅に向上できる。
【０００９】
また、請求項２の空気調和機は、請求項１の空気調和機において、上記空気調和機本体は、上記区画認識部により認識された上記リモートコントローラの位置を表す区画の情報に基づいて、上記リモートコントローラからの設定情報を区画に対応して記憶する設定情報記憶部を有することを特徴としている。
【００１０】
上記請求項２の空気調和機によれば、上記設定情報記憶部に区画に対応して記憶されたリモートコントローラの設定情報を用いて、上記制御部が空気調和部の風量，風向および吹出温度のうちの少なくとも１つを制御することによって、例えば、ある区間にリモートコントローラがない場合でも、設定情報記憶部の設定情報に基づいてその区画の空調状態を制御できる。なお、上記設定情報記憶部には、全ての区画のうちの少なくとも１つの区画の設定情報が記憶されていればよく、例えば設定情報が記憶されていない区画については、設定されている区画の設定情報に基づいて決定したり、運転条件に応じて予め決められた値を用いたりしてもよい。
【００１１】
また、請求項３の空気調和機は、請求項１の空気調和機において、上記区画認識部を上記リモートコントローラが有し、上記リモートコントローラは、上記区画認識部により認識された区画の情報および空気調和のための設定情報を送信するリモートコントローラ側送信部を有し、上記空気調和機本体は、上記リモートコントローラ側送信部からの上記区画の情報および上記設定情報を受信する本体側受信部を有することを特徴としている。
【００１２】
上記請求項３の空気調和機によれば、上記リモートコントローラのリモートコントローラ側送信部から送信された上記区画の情報および上記設定情報を上記空気調和機本体の本体側受信部により受信するので、リモートコントローラの位置を表す区画の情報にそのときのリモートコントローラの設定情報をいっしょに空気調和機本体側に送信することにより、上記区画認識部から区画の情報が別に送信される場合に比べて空気調和機本体側での２つの情報の処理が容易にできる。
【００１３】
また、請求項４の空気調和機は、請求項１の空気調和機において、上記区画認識部を上記リモートコントローラが有さず、上記リモートコントローラは、空気調和のための設定情報を送信するリモートコントローラ側送信部を有し、上記空気調和機本体は、上記区画認識部からの上記区画の情報および上記リモートコントローラ側送信部からの上記設定情報を受信する本体側受信部を有することを特徴としている。
【００１４】
上記請求項４の空気調和機によれば、上記区画認識部からの上記区画の情報および上記リモートコントローラのリモートコントローラ側送信部から送信された上記設定情報を上記空気調和機本体の本体側受信部により受信する。この場合、リモートコントローラに区画認識部がないので、リモートコントローラの構成を簡略化でき、特に複数のリモートコントローラを用いるときにコストを低減できる。なお、上記区画の情報は、区画認識部から直接本体側に送信されてもよいし、リモートコントローラを介して設定情報と共に本体側に送信されてもよい。
【００１５】
また、請求項５の空気調和機は、請求項３または４の空気調和機において、上記空気調和機本体は、上記区画認識部により認識された上記リモートコントローラの位置を表す区画の情報に基づいて、上記リモートコントローラからの設定情報を区画に対応して記憶する設定情報記憶部を有し、上記リモートコントローラ側送信部は、上記区画認識部により認識された区画の情報および設定情報要求を送信し、上記空気調和機本体は、上記リモートコントローラ側送信部からの上記区画の情報および上記設定情報要求を上記本体側受信部により受信すると、上記設定情報記憶部に記憶された上記区画の情報に対応する設定情報を送信する本体側送信部を有することを特徴としている。
【００１６】
上記請求項５の空気調和機によれば、上記リモートコントローラ側送信部からの上記区画の情報および上記設定情報要求に応じて、上記空気調和機本体は、受信された区画の情報に対応する設定情報を設定情報記憶部から読み出して、リモートコントローラ側に送信するので、リモートコントローラがどの区画に移動しても、その区画の現在の設定情報を知ることが可能となる。なお、上記設定情報記憶部には、全ての区画のうちの少なくとも１つの区画の設定情報が記憶されていればよく、例えば設定情報が記憶されていない区画については、設定されている区画の設定情報に基づいて決定したり、運転条件に応じて予め決められた値を用いたりしてもよい。
【００１７】
また、請求項６の空気調和機は、請求項５の空気調和機において、上記リモートコントローラは、上記本体側送信部からの上記設定情報記憶部に記憶された上記区画の情報に対応する設定情報を受信するリモートコントローラ側受信部と、上記リモートコントローラ側受信部により受信された上記区画の情報に対応する設定情報を表示する表示部とを有することを特徴としている。
【００１８】
上記請求項６の空気調和機によれば、上記リモートコントローラ側受信部により受信された上記区画の情報に対応する設定情報を表示部に表示することによって、ユーザーが容易にそのリモートコントローラのある区画の現在の設定情報を知ることができ、表示された設定情報を参考にして、所望の空調条件に最適な設定変更が的確にできる。
【００１９】
また、請求項７の空気調和機は、請求項６の空気調和機において、上記空気調和部は複数であって、上記制御部は、室内の各区画の温度が上記設定情報記憶部に記憶された設定情報に応じた温度になるように、上記複数の空気調和部の風量，風向および吹出温度のうちの少なくとも１つを夫々制御することを特徴としている。
【００２０】
上記請求項７の空気調和機によれば、上記複数の空気調和部の風量，風向および吹出温度のうちの少なくとも１つを上記制御部により夫々制御して、室内の空気調和を行うので、各空気調和部を協調させることでより効果的で効率のよい空調運転ができる。
【００２１】
【発明の実施の形態】
以下、この発明の空気調和機を図示の実施の形態により詳細に説明する。
【００２２】
図１はこの発明の実施の一形態の空気調和機の構成を示すブロック図であり、１０はリモートコントローラ、２０は空気調和機本体である。
【００２３】
図１に示すように、リモートコントローラ１０は、区画認識部１１と空調設定部１２と表示部１３と、リモートコントローラ側送信部１４ａおよびリモートコントローラ側受信部１４ｂを有する送受信部１４とを備えている。また、空気調和機本体２０は、空気調和部２１と、制御部２２と、設定情報記憶部２３と、本体側送信部２４ａおよび本体側受信部２４ｂを有する送受信部２４とを備えている。上記設定情報記憶部２３の内容は、図２に示すように、区画１〜ｎ毎（ｎ＝２，３，…）の空気調和のための設定情報（以下、空調設定情報という）が設定されている。
【００２４】
また、図３は上記リモートコントローラ１０の要部を示しており、このリモートコントローラ１０は、図３に示すように、風量（強，普通，弱）および風向（直接，普通，間接）を表示する表示部１４と、風量設定スイッチ１５と、風向設定スイッチ１６と、「暑い」，「寒い」の温度感を伝えるスイッチ１７とを有している。
【００２５】
また、図４は上記空気調和機を設置した室内の平面図を示している。図４に示すように、室内空間が複数の区画１〜１５に分けられ、区画２に制御装置Ａを配置すると共に、区画５，１１に空気調和部の一例としてのエアーコンディショナ（以下、エアコンという）Ｃ１，Ｃ２を夫々配置している。上記制御装置Ａは、図１に示す制御部２２，設定情報記憶部２３および送受信部２４を有し、エアコンＣ１，Ｃ２は、図１に示す空気調和部２１である。
【００２６】
まず、図４において、区画１にあるリモートコントローラＢ１から制御装置Ａに対して、位置情報「区画１」の空調設定情報を要求する。このとき、リモートコントローラＢ１の区画認識部１１（図１に示す）によりリモートコントローラＢ１のある区画を予め認識しておく。
【００２７】
次に、制御装置Ａは、リモートコントローラＢ１に対して区画１の空調設定情報を送信する。
【００２８】
次に、制御装置Ａからの区画１の空調設定情報を受けたリモートコントローラＢ１は、区画１の空調設定情報を表示する。
【００２９】
次に、ユーザーは、リモートコントローラＢ１に表示された空調設定情報を元に区画１への設定を変更する。
【００３０】
そして、エアコンＣ１は、自身の影響が及ぶ範囲の区画１〜９の空調設定情報を元に自身の空調運転条件｛風量、風向、吹出温度｝を決定する。一方、エアコンＣ２は、自身の影響が及ぶ範囲の区画７〜１５の空調設定情報を元に自身の空調運転条件｛風量、風向、吹出温度｝を決定する。
【００３１】
次に、リモートコントローラＢ１が区画９に移動する。
【００３２】
次に、リモートコントローラＢ１から制御装置Ａに区画９の空調設定情報を要求する。
【００３３】
次に、制御装置Ａは、リモートコントローラＢ１に対して区画９の空調設定情報を送信する。
【００３４】
次に、制御装置Ａからの区画９の空調設定情報を受けたリモートコントローラＢ１は、区画９の空調設定情報を表示する。
【００３５】
次に、ユーザーは、リモートコントローラＢ１に表示された情報を元に区画９への設定を変更する。
【００３６】
そして、エアコンＣ１は、自身の影響が及ぶ範囲の区画１〜９の空調設定情報を元に自身の空調運転条件｛風量、風向、吹出温度｝を決定する。一方、エアコンＣ２は、自身の影響が及ぶ範囲の区画７〜１５の空調設定情報を元に自身の空調運転条件｛風量、風向、吹出温度｝を決定する。
【００３７】
また、図５は上記空気調和機のリモートコントローラの区画認識について説明しており、各区画の略中央の天井に、リモートコントローラＢ１，Ｂ２との送受信を行う送受信機（図示せず）を配置し、各送受信機は、それぞれ設置された区画の領域で通信が可能なようにしている。
【００３８】
図６は上記空気調和機の冷房運転時の具体例を示す室内平面図である。図６に示すように、空調空間を複数の区画１〜１５（３行５列）に分けており、区画１，３，４，６，７，９，１０，１２，１３，１５にそれぞれテーブル１６を配置している。また、区画５，１１の天井にエアコンＣ１，Ｃ２を夫々配置している。上記エアコンＣ１は、４方向に吹き出す吹出口３１〜３４を有し、各吹出口３１〜３４には風向を制御するフラップ（図示せず）を設けている。また、上記エアコンＣ２は、４方向に吹き出す吹出口４１〜４４を有し、各吹出口４１〜４４には風向を制御するフラップ（図示せず）を設けている。
【００３９】
上記区画５の天井に配置されたエアコンＣ１の吹出口３１は区画２（図６において左側）に面し、吹出口３２は区画６（図６において下側）に面し、吹出口３３は区画８（図６において右側）に面し、吹出口３４は区画４（図６において上側）に面している。また、上記区画１１の天井に配置されたエアコンＣ２の吹出口４１は区画８（図６において左側）に面し、吹出口４２は区画１２（図６において下側）に面し、吹出口４３は区画１４（図６において右側）に面し、吹出口４４は区画１０（図６において上側）に面している。
【００４０】
まず、全区画の設定が「風量普通、風向普通」で運転しているものとし、区画１にあるリモートコントローラＢ１、区画９にあるリモートコントローラＢ２は、それぞれ「風量普通、風向普通」を表示する。
【００４１】
次に、ユーザーが区画１にあるリモートコントローラＢ１から「風量弱」に設定変更する。
【００４２】
そして、リモートコントローラＢ１からの「風量弱」を含む空調設定情報を受けて、制御装置Ａは、影響範囲内にあるエアコンＣ１に区画１への風量を「弱」にするように指令を出す。そうすることにより、エアコンＣ１の吹出口３１，３４の風量と風向を制御して、エアコンＣ１から区画１への風量を少なくする。
【００４３】
次に、ユーザーがリモートコントローラＢ１を区画９に移動する。
【００４４】
次に、区画９に移動したリモートコントローラＢ１は、まず区画認識部１１（図１に示す）により移動後の区画を認識し、制御装置Ａに対して認識した区画の情報および設定情報要求を送信する。そうして、制御装置Ａから区画９の空調設定情報を取得する。ここで、リモートコントローラＢ１が他の区画に移動したことを検出するのは、制御装置ＡでもリモートコントローラＢ１自体でも構わない。
【００４５】
次に、リモートコントローラＢ１は「風量普通、風向普通」を表示する。
【００４６】
次に、ユーザーは区画９にあるリモートコントローラＢ１から「風量強」に設定変更する。
【００４７】
そして、リモートコントローラＢ１から「風量強」を含む空調設定情報を受けて、制御装置Ａは、影響範囲内にあるエアコンＣ１，Ｃ２に区画９への風量を「強」にするように指令を出す。そうすることにより、エアコンＣ１の吹出口３２，３３の風量と風向を制御して、エアコンＣ２から区画９への風量を多くすると共に、エアコンＣ２の吹出口４１，４２の風量と風向を制御して、エアコンＣ２から区画９への風量を多くする。
【００４８】
次に、ユーザーが区画７にあるリモートコントローラＢ２から「寒い」という情報を送信する。
【００４９】
次に、リモートコントローラＢ２からの「寒い」という情報を受けた制御装置Ａは、影響範囲内にあるエアコンＣ１，Ｃ２に区画７への風量を「弱」にするように指令を出す。
【００５０】
次に、再度、ユーザーが区画７にあるリモートコントローラＢ２から「寒い」という情報を送信する。
【００５１】
そして、リモートコントローラＢ２から「寒い」を含む空調設定情報を受けて、制御装置Ａは、影響範囲内にあるエアコンＣ１，Ｃ２に区画７への風向を「間接」にするように指令を出す。そうすることにより、エアコンＣ１の吹出口３３，３４の風向を制御して、エアコンＣ２から区画７に吹出空気が当らないようにすると共に、エアコンＣ２の吹出口４１，４４の風向を制御して、エアコンＣ２から区画７に吹出空気が当らないようにする。
【００５２】
次に、再度、ユーザーが区画７にあるリモートコントローラＢ２から「寒い」という情報を送信する。
【００５３】
次に、制御装置Ａは、影響範囲内にあるエアコンＣ１，Ｃ２に区画７への設定温度を下げるように指令を出す。
【００５４】
このように、上記空気調和機によれば、個別に制御したい区画にリモートコントローラＢ１を移動させて、その区画における空気設定情報を空気調和機本体に送信することによって、その区画の空調条件を所望の状態になるように各エアコンＣ１，Ｃ２を制御することができる。したがって、特に広い室内空間において空気調和を行うときに個別に制御したい区画毎にリモートコントローラを常時配置する必要なく、少ない数のリモートコントローラで操作性を大幅に向上することができる。
【００５５】
また、上記リモートコントローラＢ１，Ｂ２の送受信部１４（図１に示す）から位置を表す区画の情報と空調設定情報とを対にして制御装置Ａ側に送信することにより、区画認識部から区画の情報がリモートコントローラとは別に送信される場合に比べて制御装置Ａ側での２つの情報の処理を簡略化することができる。
【００５６】
また、リモートコントローラＢ１，Ｂ２からの区画の情報および設定情報要求に応じて、制御装置Ａは、受信された区画の情報に対応する空調設定情報を設定情報記憶部２３から読み出して、リモートコントローラＢ１，Ｂ２側に送信するので、リモートコントローラＢ１，Ｂ２がとの区画に移動しても、その区画の現在の空調設定情報を知ることができる。
【００５７】
また、上記リモートコントローラＢ１，Ｂ２が受信した制御装置Ａからの上記区画の情報に対応する空調設定情報を表示部１３に表示することによって、ユーザーが容易にそのリモートコントローラＢ１，Ｂ２のある区画の現在の空調設定情報を知ることができ、表示された空調設定情報を参考にして、所望の空調条件に最適な設定変更を的確に行うことができる。
【００５８】
また、上記２つのエアコンＣ１，Ｃ２の風量，風向および吹出温度を制御装置Ａにより夫々制御して、各エアコンＣ１，Ｃ２を協調させて室内の空気調和を行うことで、より効果的で効率のよい空調運転ができる。
【００５９】
なお、上記実施の形態では、リモートコントローラがどの区画にあるかを認識する区画認識部は、リモートコントローラに設けられていたが、リモートコントローラとは別に設けてもよい。例えば、ＣＣＤ（チャージ・カップルド・デバイス）カメラからの画像データに基づいてリモートコントローラの位置を認識する区画認識部でもよい。また、上記区画認識部は、光や音波または無線などを用いた他の方法によりリモートコントローラの位置を認識するものであってもよい。
【００６０】
また、上記実施の形態では、設定情報記憶部２３に全ての区画１〜ｎに空気調和のための空調設定情報が設定されていたが、設定情報記憶部には、少なくとも１つの区画の設定情報が記憶されていればよく、例えば設定情報が記憶されていない区画については、設定されている区画の設定情報に基づいて決定したり、運転条件等に応じて予め決められた値を用いたりしてもよい。
【００６１】
【発明の効果】
以上より明らかなように、請求項１の発明の空気調和機は、空気調和機本体と、上記空気調和機本体を遠隔制御するための少なくとも１つのリモートコントローラとを備えた空気調和機であって、複数に区画された室内においてリモートコントローラがどの区画にあるかを認識する区画認識部を備え、上記空気調和機本体は、室内に調和空気を吹き出す空気調和部と、区画認識部により認識されたリモートコントローラの位置を表す区画の情報とリモートコントローラからの設定情報に基づいて、空気調和部の風量，風向および吹出温度のうちの少なくとも１つを制御する制御部とを有するものである。
【００６２】
したがって、請求項１の発明の空気調和機によれば、個別に制御したい区画にリモートコントローラを移動させて、その区画における空気調和のための設定情報を空気調和機本体に送信することによって、その区画の空調条件を所望の状態になるように各空気調和部を制御することが可能となる。したがって、特に広い室内空間において空気調和を行うときに個別に制御したい場所毎にリモートコントローラを常時配置する必要なく、少ない数のリモートコントローラで操作性を大幅に向上できる。
【００６３】
また、請求項２の発明の空気調和機によれば、請求項１の空気調和機において、請求項１の空気調和機において、上記空気調和機本体の設定情報記憶部は、上記区画認識部により認識された上記リモートコントローラの位置を表す区画の情報に基づいて、上記リモートコントローラからの設定情報を区画に対応して記憶するので、上記設定情報記憶部に区画に対応して記憶されたリモートコントローラの設定情報を用いて、上記制御部が空気調和部の風量，風向および吹出温度のうちの少なくとも１つを制御することによって、ある区間にリモートコントローラがない場合でも、設定情報記憶部の設定情報に基づいてその区画の空調状態を制御できる。
【００６４】
また、請求項３の発明の空気調和機によれば、請求項１の空気調和機において、上記区画認識部を上記リモートコントローラが有し、上記リモートコントローラの位置を表す区画の情報とそのときのリモートコントローラの設定情報をいっしょに空気調和機本体側に送信することにより、上記区画認識部から区画の情報が別に送信される場合に比べて空気調和機本体側での２つの情報の処理を簡略化することができる。
【００６５】
また、請求項４の発明の空気調和機によれば、請求項１の空気調和機において、上記区画認識部からの区画の情報およびリモートコントローラのリモートコントローラ側送信部から送信された設定情報を上記空気調和機本体の本体側受信部により受信し、リモートコントローラに区画認識部がないので、リモートコントローラの構成を簡略化でき、特に複数のリモートコントローラを用いるときにコストを低減できる。
【００６６】
また、請求項５の発明の空気調和機によれば、請求項３または４の空気調和機において、上記空気調和機本体は、上記区画認識部により認識されたリモートコントローラの位置を表す区画の情報に基づいて、リモートコントローラからの設定情報を区画に対応して記憶する設定情報記憶部を有し、上記リモートコントローラ側送信部からの区画の情報および設定情報要求に応じて、上記空気調和機本体は、受信された区画の情報に対応する設定情報を上記設定情報記憶部から読み出して、リモートコントローラ側に送信するので、リモートコントローラがどの区画に移動しても、その区画の現在の設定情報を知ることが可能となる。
【００６７】
また、請求項６の発明の空気調和機によれば、請求項５の空気調和機において、上記リモートコントローラ側受信部により受信された上記区画の情報に対応する設定情報を表示部に表示することによって、ユーザーが容易にそのリモートコントローラのある区画の現在の設定情報を知ることができ、表示された設定情報を参考にして、所望の空調条件に的確に設定変更ができる。
【００６８】
また、請求項７の発明の空気調和機によれば、請求項６の空気調和機において、複数の空気調和部の風量，風向および吹出温度のうちの少なくとも１つを上記制御部により夫々制御して、室内の空気調和を行うので、各空気調和部を協調させることによってより効果的で効率のよい空調運転を行うことができる。
【図面の簡単な説明】
【図１】図１はこの発明の実施の一形態の空気調和機の構成を示すブロック図である。
【図２】図２は上記空気調和機の設定情報記憶部の構成を示す図である。
【図３】図３は上記空気調和機のリモートコントローラの要部を示す図である。
【図４】図４は上記空気調和機を設置した室内の平面図である。
【図５】図５は上記空気調和機のリモートコントローラの区画認識について説明するための図である。
【図６】図６は上記空気調和機の具体的な例を示す室内平面図である。
【図７】図７は従来の空気調和機の概略図である。
【符号の説明】
１０…リモートコントローラ、
１１…区画認識部、
１２…空調設定部、
１３…表示部、
１４…送受信部、
１４ａ…リモートコントローラ側送信部、
１４ｂ…リモートコントローラ側受信部、
２０…空気調和機本体、
２１…空気調和部、
２２…制御部、
２３…設定情報記憶部、
２４…送受信部、
２４ａ…本体側送信部、
２４ｂ…本体側受信部、
Ａ…制御装置、
Ｂ１，Ｂ２…リモートコントローラ、
Ｃ１，Ｃ２…エアコン。
【図１】
2004316947.tif 000003
【図２】
2004316947.tif 000004
【図３】
2004316947.tif 000005
【図４】
2004316947.tif 000006
【図５】
2004316947.tif 000007
【図６】
2004316947.tif 000008
【図７】
2004316947.tif 000009